(57)【特許請求の範囲】
【請求項１】
ガラス基板と、
前記ガラス基板上に形成された有機発光体と、
前記有機発光体を埋め込むように該有機発光体の周囲に形成され、電気的絶縁性を有する第１の伝熱性充填材と、
前記第１の伝熱性充填材とは異なる材料であって前記第１の伝熱性充填材の周囲に形成された接着性を有する材料による第２の伝熱性充填材と、
前記第１の伝熱性充填材及び前記第２の伝熱性充填材上に配置された金属封止板と、
前記金属封止板上に配置されたセラミックス材料からなる反り防止材とを備えたことを特徴とする有機発光素子。
【請求項２】
前記反り防止材はＡｌＮセラミックスで構成されていることを特徴とする請求項１に記載の有機発光素子。
【請求項３】
前記第１の伝熱性充填材及び前記第２の伝熱性充填材と前記金属封止板との間には絶縁層が形成されていることを特徴とする請求項１又は請求項２に記載の有機発光素子。
【請求項４】
前記絶縁層はセラミックス絶縁体で構成されていることを特徴とする請求項３に記載の有機発光素子。
【請求項５】
前記金属封止板は、Ｃｕ、Ａｌ、Ｎｉ、ＣｕＭｏ合金、ＡｌＮ、Ａｌ2Ｏ3のいずれかで構成されていることを特徴とする請求項１〜請求項４のいずれか１項に記載の有機発光素子。
【請求項６】
前記第１の伝熱性充填材は、液体又は固体で構成されていることを特徴とする請求項１〜請求項５のいずれか１項に記載の有機発光素子。
【請求項７】
前記第１の伝熱性充填材は、不活性材料の液体であることを特徴とする請求項６に記載の有機発光素子。
【請求項８】
前記第１の伝熱性充填材は、ゲッター機能を有する固体であることを特徴とする請求項６に記載の有機発光素子。
【発明の詳細な説明】
【技術分野】
【０００１】
本発明は、有機発光体を有する有機発光素子に関する。
【背景技術】
【０００２】
従来の有機発光素子では、特許文献１の図１２に示されるような封止を行っていた。封止板とガラス基板との間に形成されるゲッター室と呼ばれる内部空間には、不活性ガスなどを充満させ、さらには乾燥材を配置していた。これにより、有機発光層等が外部の湿気や水分に触れるのを防いでいる。
【０００３】
しかしながら、不活性ガスの対流による封止板２０６への熱伝導は非常に小さく、有機発光層やガラス基板の熱伝導率も小さいため、素子温度の上昇を招いていた。有機ＥＬ（Electroluminescence）素子等の有機発光素子は、発光時に発光素子内部の電気抵抗による発熱、いわゆるジュール熱が発光素子の温度を上昇させる。この温度上昇は、有機薄膜の劣化や電極膜の剥離等の進行を加速させ、発光素子寿命や性能の低下を招く要因となっていることが知られている。また、有機発光素子は温度が上がると電流が流れ易くなり、さらに温度が上昇するという破壊サイクルを持っており、温度上昇は寿命に直結する。
【０００４】
そこで、特許文献１の図１等に示されるように、放熱性を高めるために、封止板と陰極層との間に伝熱性部材を配置して熱の拡散を図った構造が提案されている。
【先行技術文献】
【特許文献】
【０００５】
【特許文献１】特開２００９−１３４８９７号公報
【発明の概要】
【発明が解決しようとする課題】
【０００６】
しかし、上記従来技術では、伝熱性部材は、陰極層の上面のみが密着しており、ゲッター室の空間は確保されている。このため、放熱性が十分ではなく、また、ゲッター室に乾燥材を配置する等、製造工程が煩雑になり、コストも高くなる。
【０００７】
本発明は、上述した課題を解決するために創案されたものであり、放熱性をより高めるとともに、有機発光素子の構造を簡素化にした有機発光素子を提供することを目的としている。
【課題を解決するための手段】
【０００８】
上記目的を達成するために、本発明の有機発光素子は、ガラス基板と、前記ガラス基板上に形成された有機発光体と、前記有機発光体を埋め込むように該有機発光体の周囲に形成され、電気的絶縁性を有する第１の伝熱性充填材と、前記第１の伝熱性充填材とは異なる材料であって前記第１の伝熱性充填材の周囲に形成された接着性を有する材料による第２の伝熱性充填材と、前記第１の伝熱性充填材及び前記第２の伝熱性充填材上に配置された金属封止板と、前記金属封止板上に配置されたセラミックス材料からなる反り防止材とを備えたことを主要な特徴とする。
【発明の効果】
【０００９】
本発明によれば、有機発光体を埋め込むように、有機発光体の周囲を電気的絶縁性のある伝熱性充填材で覆い、前記伝熱性充填材上に封止板を配置しているので、有機発光体で発生した熱が拡散する面積が拡がり、効率良く有機発光体からの熱を逃がすことができる。また、有機発光体の周囲に形成された伝熱性充填材により、従来用いられていたゲッター材や中空部分（ゲッター室）を排除しているので、製造工程を簡単にし、コストを低減することができる。
【図面の簡単な説明】
【００１０】
【図１】本発明の有機発光素子の一構造例を示す断面図である。
【図２】本発明の有機発光素子の一構造例を示す断面図である。
【図３】本発明の有機発光素子の一構造例を示す断面図である。
【図４】本発明の有機発光素子の製造工程を示す図である。
【図５】本発明の有機発光素子作製の基になる全体構造の平面図である。
【図６】有機発光素子の製造過程における接着層の硬化工程を示す図である。
【図７】有機ＥＬ素子の輝度半減寿命の温度依存性を示す図である。
【図８】有機ＥＬ素子の短絡箇所の温度上昇例を示す図である。
【図９】封止板にセラミックスを用いた場合に、温度分布、輝度分布のばらつきが抑制されることを示す図である。
【図１０】図９の輝度分布について、輝度分布曲線を表示した図である。
【図１１】有機発光素子の放熱性向上の構成を付加した一構造例を示す図である。
【図１２】基板と封止板とが異種材料の場合、反り防止の構成を付加した有機発光素子の一構造例を示す断面図である。
【図１３】基板と封止板との熱膨張係数の差による反りを防止する構成を付加した有機発光素子の一構造例を示す断面図である。
【図１４】基板と封止板との熱膨張係数の差による反りを防止する構成を付加した有機発光素子の一構造例を示す断面図である。
【発明を実施するための形態】
【００１１】
以下、図面を参照して本発明の一実施形態を説明する。以下の図面の記載において、同一または類似の部分には同一または類似の符号を付している。構造に関する図面は模式的なものであり、図面相互間においても互いの寸法の関係や比率が異なる部分が含まれている場合がある。
【００１２】
まず、有機発光素子は、図１のように構成することができる。図１は、本発明の有機発光素子の構造例を示す断面図である。有機発光素子は、第１可堯性基板１、第２可堯性基板２、第１電極３、有機発光体４、第２電極５、伝熱性充填材６、封止板７等で構成される。
【００１３】
第１可堯性基板１上に、第２可堯性基板２、第１電極３、有機発光体４、第２電極５が順次積層されている。有機発光体４と接触している第１電極３の一部、有機発光体４と接触している第２電極５の一部を少なくとも含み、かつ有機発光体４の全体を内包するように有機発光体４の周りに伝熱性充填材６が形成されている。すなわち、伝熱性充填材６は、有機発光体４、第１電極３、第２電極５に密着しており、有機発光体４が伝熱性充填材６に埋め込まれた構造となっている。図１の有機発光素子の構造例は、有機発光体４で発光した光を第１可堯性基板１側から取出す、いわゆるボトムエミッション型である。
【００１４】
第１可堯性基板１は、電気的絶縁体であり、フレキシブル性があり、光に対して透明なプラスチック等が用いられる。第２可堯性基板２は、光に対して透明で、電気的絶縁体であるとともに、その上に有機発光体を形成する必要があるため、ガラス等が用いられる。また、フレキシブル性を満たすために、第２基板２がガラスの場合、厚さ５０μｍ程度の超薄板ガラスを用いる。第１可堯性基板１は、有機発光素子に力が加えられた場合、第２可堯性基板２が割れないように保護する役割もある。
【００１５】
第１電極３は、光を透過可能な厚さ約１５０〜約４５０ｎｍのＩＴＯ（インジウム−スズ酸化物）の透明電極からなる。また、第１電極３は、本実施例の場合、陽極に相当する。
【００１６】
伝熱性充填材６は、有機発光体４で発生したジュール熱を封止板７側に伝え、放熱させるためのものである。また、封止板７を基板側に接着させる役割もある。さらには、電気的絶縁性やフレキシブル性を備えている必要がある。したがって、伝熱性充填材６としては、ＵＶ硬化樹脂や熱硬化樹脂等の樹脂を用いることが好ましい。
【００１７】
封止板７は、第１電極３、第２電極５、および有機発光体４を保護し、これらを封止するものである。封止板７には、金属、セラミックス、フレキシブル性のあるプラスチック等を用いることができる。
【００１８】
有機発光体４は、例えば、有機ＥＬ（エレクトロルミネセンス）構造に形成されており、第１電極３側から、正孔輸送層、発光層、電子輸送層が順次積層された構成を取る。その他にも、正孔注入層や電子注入層等を挿入しても良い。
【００１９】
第２電極５は、本実施例では陰極に相当し、例えば厚さ約６０〜約１５０ｎｍのアルミニウムからなる。図１の有機発光素子の第１可堯性基板１から封止板７までの厚みは、０．３ｍｍ程度に形成することができる。
【００２０】
このように、樹脂等の伝熱性充填材で有機発光体を完全に覆いつくすようにすることで、従来用いられてきたゲッター室という中空部分を排除した。また、封止板に上記のような熱伝導性や放熱性の高い材料を用いている。このため、有機発光体で発生した熱は、伝熱性充填材に拡散し、その熱が封止板に伝導して、封止板から効率良く外部に熱を逃がすことになるので、有機発光素子の均熱化、及び放熱を実現することができる。また、基板、伝熱性充填材及び封止板について、可堯性の材料を用いているので、全体にフレキシブル性を付与することができる。
【００２１】
次に、図２に、図１と近い構造であるが、主に充填材が異なる構成を示す。図１と同じ数字の部分は、同じ構成を示すものであるため、説明は省略する。充填材が伝熱性充填材６と伝熱性充填材８とに分かれている。伝熱性充填材６は図１と同じものであり、接着層としての役割も果たすため、ＵＶ硬化樹脂や熱硬化樹脂等の樹脂を用いる。一方、伝熱性充填材８は、伝熱性充填材６とは異なる材料で形成されたものであり、固体又は液体の充填材とすることができる。
【００２２】
伝熱性充填材８は、伝熱性充填材６と異なり、接着層としての機能は特に必要ではない。したがって、伝熱性充填材８が液体の場合は、不活性材料を用い、例えば、耐熱性、不燃性、耐薬品性に優れたフッ素オイル等とすることができる。一方、伝熱性充填材８が固体又は液体の場合は、ゲッター機能を有する充填材とすることができる。ゲッター機能とは、酸素や水分を吸着させる機能のことである。また、有機発光素子にフレキシブル性を持たせる場合は、伝熱性充填材８は、ゲッター機能とフレキシブル性を有する固体材料とすることが好ましい。伝熱性充填材８が固体又は液体の場合は、ゼオライト等の物理吸着剤、又は、化学的に吸着する成分を含む材料、物理的吸着及び化学的吸着の両方の機能を有する材料を用いることができる。伝熱性充填材６及び伝熱性充填材８の厚みは、例えば、２０μｍ程度に形成することができる。
【００２３】
また、図２の封止板７Ａには、フレキシブル性に加えて、熱伝導性や放熱性に優れた材料を用いている。熱伝導性や放熱性に優れた材料として、ガラスよりも大きな熱伝導率ＴＣ＞１Ｗ／ｍ・Ｋを有する封止材料が望ましい。これらの条件を満たす封止材料として、金属フィルムが挙げられる。金属フィルムは、例えば銅（Ｃｕ）、アルミ（Ａｌ）等の金属を厚さ１００μｍ程度以下に作製したものが望ましい。
【００２４】
フレキシブル性が必要ない場合の有機発光素子の例を図３に示す。図３は、フレキシブル性を特に必要としないため、封止板と基板等が図２とは異なる。図３と同じ数字の部分は、同じ構成を示すものであるため、説明は省略する。まず、基板１０は、可堯性を有する必要がないため、光に対して透明で電気的絶縁体であるガラス等の材料が用いられる。この場合、基板１０、第１電極３、有機発光体４、第２電極５を合わせた厚さは、例えば、約０．７ｍｍ程度に形成される。
【００２５】
図３の封止板７Ｂは、フレキシブル性が必要ではなく、熱伝導性や放熱性に優れた材料を用いれば良い。具体的材料として、金属では銅（Ｃｕ）、アルミ（Ａｌ）、ニッケル（Ｎｉ）、銅モリブテン（ＣｕＭｏ）合金、セラミックスとしてはＡｌＮ、Ａｌ２Ｏ３を用いることができる。
【００２６】
次に、有機発光素子の製造方法を図３の構造を例に取り、図４により簡単に説明する。図４（ａ）に示すように、基板１０上に第１電極３をパターニング、エッチングした後、真空蒸着法により有機発光体４を形成し、その後に第２電極５を成膜する。図４（ｂ）に示すように、封止板７Ｂに接着性を有する伝熱性充填材６と、伝熱性充填材６とは異なる種類の伝熱性充填材８を塗布する。次に、図４（ｃ）に示すように、封止板７Ｂを基板１０に圧着して貼り合わせて封止すれば、図５に示す有機発光素子アレイが完成する。なお、完全に中空部分を排除するには、真空状態で圧着するのが望ましい。
【００２７】
図５は、有機発光素子が作製される前の全体構造の平面図を示す。矩形状の基板１０上に４つの有機発光素子が完成しており、各々の有機発光素子は、基板１０上に形成された第１電極３、有機発光体４、第２電極５、伝熱性充填材６、伝熱性充填材８、封止板７Ｂで構成されている。４つの各封止板７Ｂは、平面視形状が正方形となっている。図５を縦横の破線に沿ってスクライブカットすれば、図３の有機発光素子が完成する。
【００２８】
ここで、接着性を有する伝熱性充填材６には、ＵＶ硬化樹脂や熱硬化樹脂等の樹脂等が用いられる。例えば、ＵＶ硬化樹脂を用いた場合、図４（ｃ）の貼り合わせ後、図６のようにＵＶ（紫外）光を照射して伝熱性充填材６のＵＶ硬化樹脂を硬化させて接着する。しかし、図６のように、製造時に伝熱性充填材６を充填後、ＵＶ照射により硬化させる方法では、ＵＶ照射時に発熱するため、基板１０と封止板７Ｂとの熱膨張係数の差により、有機発光素子に反りが生じたり、さらには電極を損傷するおそれがある。
【００２９】
そこで、基板１０とは熱膨張係数が異なる封止板７を用いた場合、図６に示すように、ＵＶ光を照射して伝熱性充填材６のＵＶ硬化樹脂を硬化させ、伝熱性充填材６を介して封止板７と基板１０を接着させる場合に、冷却材１１を有機発光素子の一部、例えば封止板７上に配置する。冷却材１１は、例えばペルチエ素子等で構成することができる。冷却材１１の冷却効果により、基板１０と封止板７を冷却して、これらの温度を室温付近に保つことで、ＵＶ光照射時の熱による反りの発生を防ぐことができる。
【００３０】
また、有機発光素子完成後に、有機発光素子を駆動した場合、有機発光体４からジュール熱が発生し、基板１０と封止板７Ｂとの熱膨張係数の差により、有機発光素子に反りが生じるので、これを防ぐために冷却材１１を配置した状態にしておいても良い。また、冷却材１１を配置する構成は、図１、２等の構成にも、適用できる。
【００３１】
以上のようにして作製された有機発光素子と、従来の有機発光素子とを比較した。まず、従来構成の有機ＥＬ素子として、特許文献１の図１２に示される構造の素子を用い、輝度半減寿命と温度との関係を測定した。
【００３２】
図７に測定結果を示す。２５℃（室温）の状態で上記有機ＥＬ素子の輝度半減寿命を測定し、６５℃及び８５℃の恒温槽に上記有機ＥＬ素子を入れて輝度半減寿命を測定した。ここで、輝度半減寿命とは、電流を流して継続的に有機ＥＬ素子を発光させた場合、有機ＥＬ素子が最初に発光したときの初期輝度から輝度が半減するまでの期間（時間）を言う。図７の横軸は有機ＥＬ素子が置かれた雰囲気の温度を、縦軸は２５℃の輝度半減寿命を１とした場合の相対寿命を示す。
【００３３】
また、有機ＥＬ素子に流す電流を調整して初期輝度を１０００ｃｄ／ｍ２の場合の測定曲線をＬ１、初期輝度を３０００ｃｄ／ｍ２とした場合の測定曲線をＬ２、初期輝度を５０００ｃｄ／ｍ２とした場合の測定曲線をＬ３で表わした。２５℃のときの輝度半減寿命から、６５℃、８５℃と温度が高くなるにつれて、初期輝度がいずれの場合も輝度半減寿命は１／１０以下にまで落ち込んでおり、温度上昇に対する劣化が著しいことがわかる。逆に、素子の温度上昇を抑制すれば、輝度半減寿命を延ばすことができる。
【００３４】
そこで、封止板７、７Ａに、熱伝導率・放射率に優れた材料、例えば、Ａｌフィルム（熱伝導率２３７ Ｗ／ｍ・Ｋ、熱放射率約０．１）、Ｃｕフィルム（熱伝導率４０１ Ｗ／ｍ・Ｋ、熱放射率約０．２以下）の各々を、封止板７ＢにＡｌＮセラミックス（熱伝導率１７０〜Ｗ／ｍ・Ｋ、放射率０．９３）、Ａｌ２Ｏ３セラミックス（熱伝導率３９Ｗ／ｍ・Ｋ、熱放射率０．９７）の各々を用い、充填材だけを介して直接貼り付けて、図１、２、３のいずれかの構成とすることにより、有機ＥＬ素子で発熱した熱を逃がし、温度上昇を抑制することができ、寿命を向上させることができる。
【００３５】
次に、従来の有機ＥＬ素子による照明では、異物等の存在により特異点のように、部分的なショートが生ずる場合がある。図８（ａ）は、有機ＥＬ素子の発光部径３０ｍｍ×３０ｍｍを発光上部から見た図となっている。横側と下側に記載されたグラフは、輝度分布を示す。図８（ｂ）は、図８（ａ）の発光部径３０ｍｍ×３０ｍｍの温度分布を示す。図８（ｂ）の中央付近が白っぽくなっているのは、発光部の特定の領域の温度が高くなっていることを示す。輝度分布が特に上がっている箇所、すなわち温度が特に高くなっている箇所が電流が集中している領域であり、短絡している領域である。
【００３６】
このとき、図８（ｂ）に記載された数値からわかるように、最高温度は７０．５℃、最低温度は２６．６℃であり、より高温状態になると、素子が破壊されることがある。このように、ショート箇所では温度が上昇し破壊の引き金になることがある。
【００３７】
一般に有機発光素子は温度が上昇すると電流が流れ易くなる特性を持つ。従って、温度が高い部分の輝度は高くなる。しかし、本発明のように、封止板を熱伝導性、熱放射性に優れた材料で構成すると、熱分布を均熱化することができ、破壊を抑制することが可能となる。また、熱の拡散放熱効果により面内の温度分布が一様になり、輝度分布のばらつきも抑制できる。この効果を図９、１０に示す。
【００３８】
図９は、封止板をＡｌＮセラミックスにした図３の本発明の構造による有機発光素子と、封止板をガラスにした従来構造（特許文献１の図１２の構造）による有機発光素子との輝度分布及び温度分布を比較したものである。封止板をガラスにした従来構造の素子の方が、輝度分布に大きな偏りがあることがわかる。また、封止板をＡｌＮセラミックスにした本発明の素子の方が、従来構造の素子に比べて、素子の中心付近温度が、４６．５℃から３６．９℃に低下していることがわかる。
【００３９】
図１０は、図９の輝度分布の部分のみを取り出して、縦方向の輝度分布と横方向の輝度分布をグラフ化した図である。図１０（ａ）が封止板をＡｌＮセラミックスにした本発明の有機発光素子であり、図１０（ｂ）が封止板をガラスにした従来の有機発光素子である。図１０（ａ）の方が温度分布を均熱化したことにより、輝度分布のばらつきも改善されている。
【００４０】
ここで、画像の各ピクセルの輝度値を平均化した値をＩ１、輝度値の標準偏差をＩ２とすると、変動係数はＩ２／Ｉ１で表わされる。この変動係数を算出すると、本発明の構造の有機発光素子の場合は、変動係数は１７．８％、従来構造の有機発光素子の場合は、変動係数は２４．７％となり、封止板をＡｌＮセラミックスにした本発明の有機発光素子での方が、ばらつきを抑制できていると考えられる。なお、図１０（ａ）の横軸のグラフを見ると、正極から負極に遠ざかるにつれて、輝度が低下しているが、これは、陽極に用いたＩＴＯのシート抵抗値が高いため、電圧の接続端子から遠ざかるにつれて抵抗値が大きくなって電圧降下が生じ、暗くなっている。
【００４１】
次に、封止板の放熱性を向上させた構成を図１１に示す。図３の構造に放熱性を向上させるための手段が付加された構成となっている。図３と同じ数字の部分は、同じ構成を示すものであるため、説明は省略する。まず、あらかじめ、金属の封止板７Ｂの両側にクロメート処理を施し、クロメート被膜１３Ａ、１３Ｂを形成し、クロメート被膜１３Ｂ上に放熱塗料１２を積層する。このように形成された積層体を図３の構造の伝熱性充填材６及び伝熱性充填材８に貼り付けることにより、図１１の有機発光素子が形成される。クロメート処理によるクロメート被膜１３Ａ、１３Ｂの形成は、放熱塗料１２と封止板７Ｂと伝熱性充填材６、８との密着性を上げるための処理である。
【００４２】
金属の熱放射率は低い（Ａｌで０．１程度）ので、放熱塗料１２を塗ることで熱放射率を上げ、放熱性を向上させることができる。放熱塗料１２としては、輻射率の高いカーボン材料を含有した塗料等が挙げられる。
【００４３】
次に、有機発光素子を作製する場合に、基板と封止板とが異種材料ということになると、これらの線膨張係数が異なるため、図６の貼り合わせ時に発生する熱、あるいは、有機発光素子の駆動時の熱により反りが発生する可能性がある。このため、図３の封止板７Ｂは線膨張係数が基板１０に近いものが望ましい。
【００４４】
一般に有機ＥＬ素子等の基板としてはガラス基板が使用される。例えば、基板１０にソーダガラスを用いる場合は、封止板はソーダガラスの線膨張係数（９〜１０×１０−６／℃）と同程度（望ましくは±５０％以内）の線膨張係数を有する材料が望ましい。これらの条件を満足する封止材料としては、セラミックス材料が好適である。例えば、セラミックス材料として、ＡｌＮ（線膨張係数４．５×１０−６／℃）、Ａｌ２Ｏ３（線膨張係数５．３×１０−６／℃）、Ｚｒセラミックス（線膨張係数９．４×１０−６／℃）等を用いる。
【００４５】
しかしながら、封止板７Ｂに、必ずしも線膨張係数が基板１０に近い材料を用いることができるとは限らない。
【００４６】
そこで、図１２のように、反り防止の構造を付加した。図１２は、図３の構造に、金属封止板７０を用いた場合に、反り防止構造を付加したものである。図３と同じ数字の部分は、同じ構成を示すものであるため、説明は省略する。図１２では、基板１０にはガラスが良く使用されるので、金属封止板７０であると線膨張係数がかなり異なるので、膨張長さの違いから反りが生じてしまう。これを防止するために、反り防止材１６を配置した。
【００４７】
まず、あらかじめ、金属封止板７０に表面処理を施し、絶縁層１４を形成する。絶縁層１４は、数μｍの厚さのＡｌ２Ｏ３等のセラミックス絶縁体を用いる。絶縁層１４は、金属封止板７０と電極等との絶縁を確保するためのものである。図３の構造の伝熱性充填材６及び伝熱性充填材８上に、上記絶縁層１４が形成された金属封止板７０を貼り付ける。金属封止板７０の貼り付けは、絶縁層１４が伝熱性充填材６及び伝熱性充填材８と接合するようにする。さらに、金属封止板７０上に接着層１５を介して反り防止材１６を形成する。反り防止材１６には、ＡｌＮセラミックス等のセラミックス材料が用いられる。
【００４８】
接着層１５の接着剤は高熱伝導性のものが望ましく、例えば、５Ｗ／ｍ・Ｋ程度の材料を用いることができる。基板１０がガラスの場合は、ガラスと近い線膨張係数を持つ材料、例えばＡｌＮセラミックスによる反り防止材１６を反対側に貼ることで、ガラスと金属を貼り合わせた際の反りを防ぐ。また、反り防止材１６は、有機発光素子の温度上昇を防ぐために、ＡｌＮセラミックスのように高熱伝導・高放射率材料が望ましい。
【００４９】
図１３は、フレキシブル基板を用いた場合の反り防止構造を示す。封止板が金属の場合、フレキシブル化が可能である。図１３は、図２の構造に反り防止構造を付加したものである。図２と同じ数字の部分は、同じ構成を示すものであるため、説明は省略する。また、図１３の絶縁層１４と接着層１５は図１２と同じものであるため、これも説明を省略する。
【００５０】
図１３では、第１可堯性基板１と第２可堯性基板２と同じものをそれぞれ封止板７上に積層している。具体的には、金属封止板７０上に接着層１５を介して第２可堯性基板２を接着し、第２可堯性基板２上に第１可堯性基板１を積層する。第１可堯性基板１には、例えばプラスチックが、第２可堯性基板２には５０μｍ程度の厚さの超薄板ガラス等を用いることができる。このように、異種材料貼り付けによる反りは、基板が複合化している場合でも、基板と同様の材料を上下対称に貼ることで防ぐことができる。金属封止板７０上に、超薄板ガラスやプラスチックが積層されているため、熱放射は望めないが、金属封止板７０の熱伝導による均熱化は実現できる。
【００５１】
有機発光素子の最大の特徴として、薄く作製できることが挙げられる。例えば、図２のように、封止板に金属フィルムを使用することで均熱化のメリットを有したフレキシブルデバイスが作製可能である。そこで、最も薄く有機発光素子を構成するために、図１４のように構成する。図１４は、図２の構造に反り防止構造を付加したものである。図２と同じ数字の部分は、同じ構成を示すものであるため、説明は省略する。図２の構造に、第１可堯性基板１と同じ線膨張係数を有し、かつ第１可堯性基板１と同じ厚さを有する封止板１Ａを伝熱性充填材６及び伝熱性充填材８上に形成する。このようにすれば、図１３のように封止板上に複合的な構造物を形成せずに反りを防止することができ、かつ有機発光素子を極めて薄く作製することができる。
【産業上の利用可能性】
【００５２】
本発明の有機発光素子の構成は、有機ＥＬ照明、フレキシブル有機ＥＬデバイス、有機ＥＬディスプレイなど、幅広いデバイスに適用することができる。
【符号の説明】
【００５３】
１      第１可堯性基板
１Ａ    封止板
２      第２可堯性基板
３      第１電極
４      有機発光体
５      第２電極
６      伝熱性充填材
７      封止板
７Ａ    封止板
７Ｂ    封止板
８      伝熱性充填材
１０    基板
１１    冷却材
１２    放熱塗料
１３Ａ  クロメート被膜
１３Ｂ  クロメート被膜
１４    絶縁層
１５    接着層
１６    反り防止材
７０    金属封止板
【図１】
0005638924.tif 000002
【図２】
0005638924.tif 000003
【図３】
0005638924.tif 000004
【図４】
0005638924.tif 000005
【図５】
0005638924.tif 000006
【図６】
0005638924.tif 000007
【図７】
0005638924.tif 000008
【図１１】
0005638924.tif 000009
【図１２】
0005638924.tif 000010
【図１３】
0005638924.tif 000011
【図１４】
0005638924.tif 000012
【図８】
0005638924.tif 000013
【図９】
0005638924.tif 000014
【図１０】
0005638924.tif 000015